【手続補正書】
【提出日】平成15年12月15日(2003.12.15)
【手続補正１】
【補正対象書類名】明細書
【補正対象項目名】特許請求の範囲
【補正方法】変更
【補正の内容】
【特許請求の範囲】
【請求項１】
入力される表示情報をフラットパネルに表示するフラットパネル型表示装置であって、
通常の表示モードで表示制御する第１の表示制御手段と、
画像の劣化の少ない省電力モードと画像の劣化がある省電力モードの何れかの表示モードで表示制御する第２の表示制御手段と
を備えることを特徴とするフラットパネル型表示装置。
【請求項２】
前記省電力モードへの移行を指示する指示手段を更に備え、
前記第１の表示制御手段により表示制御される表示モードから、前記第２の表示制御手段により表示制御される表示モードへと自動的に表示モードが遷移する場合には、前記画像の劣化の少ない省電力モードに遷移し、
前記指示手段による指示に基づいて表示モードが遷移する場合には、前記画像の劣化の少ない省電力モードと、前記画像の劣化がある省電力モードのいずれかの省電力モードに遷移することを特徴とする請求項１記載のフラットパネル型表示装置。
【請求項３】
前記省電力モードにおいて前記第２の表示制御手段は、少なくとも、
（１）前記フラットパネルを構成する表示素子の駆動時間を制御するＰＷＭクロック信号のパルス幅の制御、
（２）前記フラットパネルの表示位置ごとの明るさの制御、
（３）前記フラットパネル全体の駆動電圧の制御、
（４）前記フラットパネルに表示される表示情報の演算処理に基づく平均発光輝度レベルの制御、
（５）前記フラットパネルに表示される表示範囲の制御、
（６）前記フラットパネルを構成する表示素子の駆動電流の制御、
のいずれか１つ以上の制御処理を行うことを特徴とする請求項１又は請求項２記載のフラットパネル型表示装置。
【請求項４】
入力される表示情報をフラットパネルに表示するフラットパネル型表示装置の制御方法であって、
通常の表示モードで表示制御する第１の表示制御工程と、
画像の劣化の少ない省電力モードと画像の劣化がある省電力モードの何れかの表示モードで表示制御する第２の表示制御工程と
を備えることを特徴とするフラットパネル型表示装置の制御方法。
【請求項５】
前記省電力モードへの移行を指示する指示工程を更に備え、
前記第１の表示制御工程により表示制御される表示モードから、前記第２の表示制御工程により表示制御される表示モードへと自動的に表示モードが遷移する場合には、前記画像の劣化の少ない省電力モードに遷移し、
前記指示工程における指示に基づいて表示モードが遷移する場合には、前記画像の劣化の少ない省電力モードと、前記画像の劣化がある省電力モードのいずれかの省電力モードに遷移することを特徴とする請求項４記載のフラットパネル型表示装置の制御方法。
【請求項６】
前記省電力モードにおいて前記第２の表示制御工程は、少なくとも、
（１）前記フラットパネルを構成する表示素子の駆動時間を制御するＰＷＭクロック信号のパルス幅の制御、
（２）前記フラットパネルの表示位置ごとの明るさの制御、
（３）前記フラットパネル全体の駆動電圧の制御、
（４）前記フラットパネルに表示される表示情報の演算処理に基づく平均発光輝度レベルの制御、
（５）前記フラットパネルに表示される表示範囲の制御、
（６）前記フラットパネルを構成する表示素子の駆動電流の制御、
のいずれか１つ以上の制御処理を行うことを特徴とする請求項４又は請求項５に記載のフラットパネル型表示装置の制御方法。
【請求項７】
請求項４乃至請求項６のいずれか１項に記載の制御方法をコンピュータによって実現させるためのコンピュータプログラムを記憶したコンピュータ可読記録媒体。
【手続補正２】
【補正対象書類名】明細書
【補正対象項目名】発明の詳細な説明
【補正方法】変更
【補正の内容】
【発明の詳細な説明】
【０００１】
【発明の属する技術分野】
本発明は、入力される画像情報を簡単な構成のインタフェースを介して画像表示装置に表示させることが可能な画像表示装置制御システム及び画像表示システム制御方法に関するものである。
【０００２】
【従来の技術】
従来のコンピュータシステムにおいては、モニタディスプレイとしてはＣＲＴ表示装置が標準的に使用されており、ＣＲＴディスプレイの消費電力が大きいことより、一定時間操作入力が無いと省電力モードに入り、モニタディスプレイ装置のなかで最も消費電力の多いＣＲＴブラウン管の駆動を消勢して待機状態とするなどの制御を行なっていた。
【０００３】
【発明が解決しようとする課題】
しかし、この省電力モードの動作制御はＣＲＴ表示装置に限られており、他の形式の表示装置では行なわれていなかった。ＣＲＴ以外の装置であっても消費電力の低減化が望まれていた。更に、一般のテレビジョン放送表示用ディスプレイにおいても、うっかりして電源を落とさずに外出したり、寝てしまったりすることがあり、係る場合に省電力モードに移行させることができれば非常によい。
【０００４】
【課題を解決するための手段】
本発明は上述した課題を解決することを目的として成されたもので、上述した課題を解決する一手段として例えば以下の構成を備える。
【０００５】
即ち、入力される表示情報をフラットパネルに表示するフラットパネル型表示装置であって、通常の表示モードで表示制御する第１の表示制御手段と、画像の劣化の少ない省電力モードと画像の劣化がある省電力モードの何れかの表示モードで表示制御する第２の表示制御手段とを備えることを特徴とする。
【０００６】
又例えば、省電力モードへの移行を指示入力する指示入力手段を備え、自動的に省電力モードになる場合には画質の劣化の少ない省電力モードに移行させ、前記指示入力手段による指示入力により省電力モードに移行する場合は前記画質の劣化の少ない省電力モードと劣化がある省電力モードのいずれの省電力モードへの移行させることが可能であることを特徴とする。
【０００７】
また例えば、前記省電力モードにおいて前記第２の表示制御手段は、少なくとも、
（１）前記フラットパネルを構成する表示素子の駆動時間を制御するＰＷＭクロック信号のパルス幅の制御、
（２）前記フラットパネルの表示位置ごとの明るさの制御、
（３）前記フラットパネル全体の駆動電圧の制御、
（４）前記フラットパネルに表示される表示情報の演算処理に基づく平均発光輝度レベルの制御、
（５）前記フラットパネルに表示される表示範囲の制御、
（６）前記フラットパネルを構成する表示素子の駆動電流の制御、
のいずれか１つ以上の制御処理を行うことを特徴とする。
【０００８】
【発明の実施の形態】
以下、図面を参照して、本発明に係る一発明の実施の形態例を詳細に説明する。以下の説明は、表示装置として壁掛けタイプのフラットパネルディスプレイであるSurface Conduction Electron Emitter Display（以下「ＳＥＤ」と称す。）を採用する場合を例として説明する。
【０００９】
［第一の実施の形態例］
以下の説明は、表示パネルとしてＳＥＤパネルを用いた表示装置を電流駆動ＰＷＭする場合の省電力制御例を説明する。
【００１０】
（表示装置の構成）
図１Ａ乃至図１Ｃは本発明に係る一実施の形態例の表示パネル（ＳＥＤパネル）を用いた表示装置の概略ブロック構成図であり、主に駆動回路部分の構成を詳細に示している。図２は図１Ａ乃至図１Ｃに示す本実施の形態例の動作タイミングチャートである。
【００１１】
図２において、Ｔ１０１は後述するデコードされたコンポーネントビデオ信号の例、Ｔ１０２は同期信号、Ｔ１０３はクロック信号ＣＬＫ、Ｔ１０４は色サンプルデータ、Ｔ１０５は輝度データ、Ｔ１０７はクロック信号ＳＦＴＣＬＫ、Ｔ１０８はＬＤパルス信号、Ｔ１１０はＰＷＭＧＥＮ信号出力、Ｔ１１１はある列の出力電圧波形の例、Ｔ１１２は１行目〜２４０行目の出力例を示している。
【００１２】
図１Ａ乃至図１Ｃにおいて、Ｐ２０００は表示パネルであり、本実施の形態例においては２４０×７２０個の表面伝導型素子Ｐ２００１が垂直２４０行の行配線（走査配線）と水平７２０列の列配線（変調配線）によりマトリクス配線され、各表面伝導型素子Ｐ２００１からの放出電子ビームが高圧電源部Ｐ３０から印加される高圧電圧により加速され不図示の蛍光体に照射されることにより発光を得るものである。この不図示の蛍光体は用途に応じて種々の色配列を取ることが可能である。例えば本実施の形態例では、一例としてＲＧＢ縦ストライプ状の色配列を採用することができる。
【００１３】
本実施の形態例においては、以下に水平２４０（ＲＧＢトリオ）×垂直２４０ラインの画素数を有する表示パネルＰ２０００にＮＴＳＣ相当のテレビ画像を表示する例を説明する。しかし本発明は以上の例に限定されるものではなく、ＮＴＳＣに限らずＨＤＴＶのような高精細な画像やコンピュータの出力画像など、解像度やフレームレートが異なる画像信号に対しても、ほぼ同一の構成で容易に対応できる。
【００１４】
Ｐ１はＮＴＳＣ仕様のコンポジットビデオ入力を受け取り、ＲＧＢコンポーネントを出力するＮＴＳＣ−ＲＧＢデコーダ部である。ＮＴＳＣ−ＲＧＢデコーダ部Ｐ１は、入力されるＮＴＳＣ仕様のコンポジットビデオ信号に重畳されている同期信号（ＳＹＮＣ）を分離し出力する。同じく入力ビデオ信号に重畳されているカラーバースト信号を分離し、カラーバースト信号に同期したＣＬＫ信号（ＣＬＫ１）を生成し出力する。
【００１５】
Ｐ２は、ＮＴＳＣ−ＲＧＢデコーダ部Ｐ１にてデコードされたアナログＲＧＢ信号を表示パネル（ＳＥＤパネル）Ｐ２０００を輝度変調するためのディジタル階調信号に変換するために必要な以下のタイミング信号を発生するタイミング発生部である。
・ＮＴＳＣ−ＲＧＢデコーダ部Ｐ１からのＲＧＢアナログ信号をアナログ処理部Ｐ３にて直流再生するためのクランプパルス、
・ＮＴＳＣ−ＲＧＢデコーダ部Ｐ１からのＲＧＢアナログ信号にアナログ処理部Ｐ３にてブランク期間を付加するためのブランキングパルス（ＢＬＫパルス）、
・ＲＧＢアナログ信号のレベルを各色毎に備えられたビデオ検出部Ｐ４にて検出するための検出パルス、
・アナログＲＧＢ信号を各色毎に備えられたＡ／Ｄ部Ｐ６にてデジタル信号に変換するためのサンプルパルス（不図示）、
・ＲＡＭコントローラＰ１２が各色毎に備えられた画像メモリＰ８を制御するために必要なＲＡＭコントローラ制御信号、
・タイミング発生部Ｐ２内で生成され、ＣＬＫ１入力時にはタイミング発生部Ｐ２内ＰＬＬ回路によりＣＣＬＫ１に同期する自走ＣＬＫ信号（ＣＬＫ２）、
・タイミング発生部Ｐ２内でＣＬＫ２を基に生成される同期信号（ＳＹＮＣ２）。
【００１６】
タイミング発生部Ｐ２は、自走のＣＬＫ２発生手段を備えることにより、入力ビデオ信号が存在しないときも基準信号であるＣＬＫ２、ＳＹＮＣ２を発生できるため、各色毎に備えられた画像メモリＰ８の画像データを読み出すことによる画像表示が可能である。
【００１７】
Ｐ３は、ＮＴＳＣ−ＲＧＢデコーダ部Ｐ１からの出力原色信号それぞれに備えられるアナログ処理部であり、主に以下の動作をする。
・タイミング発生部Ｐ２からクランプパルスを受け直流再生を行なう。
・タイミング発生部Ｐ２からＢＬＫパルスを受けブランキング期間を付加する。
・ＭＰＵＰ１１を中心に構成されるシステムコントロール部の制御出力の一つであるＤ／Ａ部Ｐ１４のゲイン調整信号を受け、ＮＴＳＣ−ＲＧＢデコーダ部Ｐ１から入力された原色信号の振幅制御を行なう。
・ＭＰＵＰ１１を中心に構成されるシステムコントロール部の制御出力の一つであるＤ／Ａ部Ｐ１４のオフセット調整信号を受け、ＮＴＳＣ−ＲＧＢデコーダ部Ｐ１から入力された原色信号の黒レベル制御を行なう。
【００１８】
Ｐ４は入力される映像信号レベルあるいは各色毎に備えられたアナログ処理部Ｐ３にて制御された後の映像信号レベルを検出するための各色毎に備えられたビデオ検出部であり、タイミング発生部Ｐ２からの検出パルスを受け、ＭＰＵＰ１１を中心に構成されるシステムコントロール部の制御入力のひとつであるＡ／Ｄ部Ｐ１５により検出結果が読み取られる。
【００１９】
タイミング発生部Ｐ２からの検出パルスは、例えばゲートパルス、リセットパルス、サンプル＆ホールド（以下Ｓ／Ｈ）パルスの３種からなる。また、各色毎に備えられたビデオ検出部Ｐ４は、例えば積分回路とＳ／Ｈ回路から構成することができる。
【００２０】
たとえばゲートパルスにより入力ビデオ信号の有効期間中、積分回路でビデオ信号を積分し垂直帰線期間に発生するＳ／ＨパルスによりＳ／Ｈ回路で積分回路の出力をサンプリングする。同垂直帰線期間にＡ／Ｄ部Ｐ１５により検出結果が読み取られた後、リセットパルスで積分回路とＳ／Ｈ回路が初期化される。
【００２１】
以上のような動作でフィールド毎の平均ビデオレベルが検出できる。
【００２２】
各色毎に備えられたＬＰＦＰ５は、各色毎に備えられたＡ／Ｄ部Ｐ６の前段に置かれるプリフィルタ手段である。各色毎に備えられたＡ／Ｄ部Ｐ６は、タイミング発生部Ｐ２からのサンプルＣＬＫを受け、各色毎に備えられたＬＰＦＰ５を通過したアナログ原色信号を必要階調数で量子化するＡ／Ｄコンバータ手段である。
【００２３】
逆γ（逆ガンマ）テーブルＰ７は、入力されるビデオ信号を表示パネルが有する発光特性に変換するために備えられた階調特性変換手段である。本実施の形態例のようにパルス幅変調により輝度階調を表現する場合、輝度データの大きさに発光量がほぼ比例するリニアな特性を示すことが多い。
【００２４】
一方ビデオ信号は、ＣＲＴを用いたＴＶ受像機を対象としているため、ＣＲＴの非線形な発光特性を補正するためにγ処理を施されている。これは、本実施の形態例のようにリニアな発光特性を持つ表示パネルにテレビジョン放送用の画像（テレビ画像）を表示させる場合、Ｐ７の逆γテーブルのような階調特性変換手段でγ処理の効果を打ち消す必要があるからである。
【００２５】
ＭＰＵＰ１１を中心に構成されるシステムコントロール部の制御入出力のひとつであるＩ／Ｏ制御部Ｐ１３の出力によりこのテーブルデータを切り替えて、発光特性を好みの特性に変えることが出来る。
【００２６】
Ｐ８は、Ｒ／Ｇ／Ｂ処理回路毎に備えられた画像メモリ（ＲＡＭ）であり、パネルの総表示画素数分のアドレスを有する（図１Ｃに示す表示パネルの場合水平２４０×垂直２４０ライン×３個のアドレスを有する）。この画像メモリＰ８にパネル各絵素が発光すべき輝度データを格納しておき、点順次に輝度データを読み出すことにより、画像メモリＰ８内に格納された画像を表示パネルＰ２０００に表示させることができる。
【００２７】
輝度データの画像メモリＰ８からの出力は、ＲＡＭコントローラＰ１２からのアドレス制御を受けて行なう。
【００２８】
画像メモリＰ８へのデータの書き込みは、ＭＰＵＰ１１を中心に構成されるシステムコントロール部の管理の基に行われる。簡単なテストパターンなどであれば、ＭＰＵＰ１１が画像メモリＰ８の各アドレスに格納する輝度データを直接演算して生成し、書き込めば良い。但し、自然静止画像のようなパターンであれば、例えは外部コンピュータなどに格納した画像ファイルをＭＰＵＰ１１を中心に構成されるシステムコントロール部の入出力部のひとつであるシリアル通信Ｉ／ＦＰ１６を介して読み込み、画像メモリＰ８へ書き込むことになる。
【００２９】
Ｐ９は各色毎に備えられたデータセレクタであり、各色毎に出力する画像データを画像メモリＰ８からのデータにするか、Ａ／Ｄ部Ｐ６（入力ビデオ信号系）、逆γテーブルＰ７からのデータにするかをＭＰＵＰ１１を中心に構成されるシステムコントロール部の制御入出力のひとつであるＩ／Ｏ制御部Ｐ１３の出力により決定する。
【００３０】
データセレクタＰ９は、この２系統の入力セレクトを行なう他、出力セレクタＰ９から固定値を発生するモードを持ち、Ｉ／Ｏ制御部Ｐ１３によりこのモードが選択された時には出力セレクタＰ９から固定値を出力することもできる。このモードにより、例えば全白パターンなどの調整信号を外部入力なしに高速に表示することができる。
【００３１】
Ｐ１０は各原色信号毎に備えられる水平１ラインメモリ手段であり、ラインメモリ制御部Ｐ２１の制御信号により、ＲＧＢの３系統並列に入力される輝度データをパネル色配列に応じた順番に並べ換えて１系統の直列信号に変換しラッチ手段Ｐ２２を介して後述するＸドライバ部へ出力する。
【００３２】
システムコントロール部は主にＭＰＵＰ１１、シリアル通信Ｉ／ＦＰ１６、Ｉ／Ｏ制御部Ｐ１３、Ｄ／Ａ部Ｐ１４、Ａ／Ｄ部Ｐ１５、データメモリＰ１７、ユーザースイッチ（ＳＷ）部Ｐ１８から構成される。
【００３３】
システムコントロール部は、ユーザーＳＷ部Ｐ１８やシリアル通信Ｉ／ＦＰ１６から指示入力されるユーザー要求を受け、対応する制御信号をＩ／Ｏ制御部Ｐ１３やＤ／Ａ部Ｐ１４から出力することによりその要求を実現する。
【００３４】
また、Ａ／Ｄ部Ｐ１５からのシステム監視信号を受け、対応する制御信号をＩ／Ｏ制御部Ｐ１３やＤ／Ａ部Ｐ１４から出力することにより、最適な自動制御を行なう。
【００３５】
本実施の形態例においてはユーザー要求としては、テストパターン発生や階調性の可変、明るさ、色制御などの表示制御が実現できる。また前述のようにビデオ検出部Ｐ４からの平均ビデオレベルをＡ／Ｄ部Ｐ１５でモニタすることによりＡＢＬなどの自動制御を行なうこともできる。
【００３６】
またデータメモリＰ１７を備えることにより、ユーザー調整量を保存することができる。
【００３７】
Ｐ１９はＹドライバ制御タイミング発生部、Ｐ２０はＸドライバ制御タイミング発生部であり、ともにＣＬＫ１，ＣＬＫ２，ＳＹＮＣ２信号を受けＹドライバ制御信号、Ｘドライバ制御信号を発生する。
【００３８】
Ｐ２１はラインメモリＰ１０のタイミング制御を行なうための制御部であり、ＣＬＫ１信号、ＣＬＫ２信号、ＳＹＮＣ２信号を受け輝度データをラインメモリＰ１０に書き込むためのＲ，Ｇ，Ｂ＿ＷＲＴ制御信号およびラインメモリＰ１０からパネル色配列に応じた順番で輝度データを読み出すためのＲ，Ｇ，Ｂ＿ＲＤ制御信号を発生する。
【００３９】
図２のＴ１０４はＲＧＢ各色の内１色を例として書いた色サンプルデータ列の波形例であり、１水平期間に２４０個のデータ列で構成されている。このデータ列を１水平期間に上記制御信号によりラインメモリＰ１０に書き込む。次の水平期間に各色毎のラインメモリＰ１０を書き込みの場合の３倍の周波数で読み出し有効にすることでＴ１０５のような１水平期間あたり７２０個の輝度データ列を得ることができる。
【００４０】
Ｐ１００１はＸ，Ｙドライバタイミング発生部であり、Ｙドライバ制御タイミング発生部Ｐ１９とＸドライバ制御タイミング発生部Ｐ２０からの制御信号を受けＸドライバ制御のために以下の信号を出力する。
・シフトクロック、
・シフトレジスタＰ１１０１、１１０７に読み込んだデータを各列毎に設けられたＰＷＭジェネレータ部Ｐ１１０２とＤ／Ａ部Ｐ１１０３内の不図示のメモリ手段にフェッチするため、及びＰＷＭジェネレータ部Ｐ１１０２とＤ／Ａ部Ｐ１１０３への水平周期のトリガとして作用するためのＬＤパルス、
・ＩｆテーブルＲＯＭＰ１２０２の制御信号であるＩｆテーブルＲＯＭ制御信号Ｙドライバ制御のためにＹシフトレジスタＰ１００２を駆動するための水平周期のシフトクロック及び行走査開始トリガを与えるための垂直周期のトリガ信号
【００４１】
また、シフトレジスタＰ１１０１は、ラッチＰ２２からの水平周期毎の７２０個の列配線数の輝度データ列をＸ，Ｙドライバタイミング発生部Ｐ１００１からの図２にＴ１０７で示す輝度データに同期したシフトクロック（ＳＦＴＣＬＫ）により読み込み、Ｔ１０８のようなＬＤパルスによりＰＷＭジェネレータ部Ｐ１１０２に７２０個の１水平列分のデータを一度に転送する。
【００４２】
シフトレジスタＰ１１０７は、データセレクタ手段Ｐ１２０１からの水平周期毎の７２０個の列配線数の列配線駆動電流データ列を輝度データ同様にシフトクロックにより読み込み、Ｔ１０８のようなＬＤパルスによりＤ／Ａ部Ｐ１１０３に７２０個の１水平列分のデータを一度に転送する。
【００４３】
ＩｆテーブルＲＯＭＰ１２０２は、表示パネルＰ２０００の７２０×２４０個の各表面伝導型素子に流すべき電流振幅値のデータを記憶するためのメモリ手段であり、Ｘ，Ｙドライバタイミング発生部Ｐ１００１からのＩｆテーブルＲＯＭ制御信号により読み出しアドレス制御を受け、水平周期毎に図２のＴ１０５のような走査される１行分の７２０個の電流振幅値のデータを出力する。
【００４４】
本実施の形態例では、ＩｆテーブルＲＯＭＰ１２０２を用いてこの列配線（すなわち表面伝導型素子）を駆動する電流値を各素子毎に最適な値に設定することにより、輝度の均一性を非常に良くできる。
【００４５】
また、低コスト化などの目的でＩｆテーブルＲＯＭＰ１２０２を使用しない場合のためにデータセレクタ手段Ｐ１２０１が備えられており、ＭＰＵＰ１１を中心に構成されるシステムコントロール部の制御入出力のひとつであるＩ／Ｏ制御部Ｐ１３から出力されるＩｆ設定データを同Ｉ／Ｏ制御部Ｐ１３からの切り替え信号によりシフトレジスタＰ１１０７に出力することが可能に構成されている。
【００４６】
各列配線毎に備えられるＰＷＭジェネレータ部Ｐ１１０２は、シフトレジスタＰ１１０１からの輝度データを受け、図２のＴ１１０に示す波形のように水平周期毎にデータの大きさに比例したパルス幅を有するパルス信号（ＰＷＭＧＥＮ）を発生する。
【００４７】
各列配線毎に備えられるＤ／Ａ部Ｐ１１０３は、電流出力のデジタルアナログ変換機であり、シフトレジスタＰ１１０７からの電流振幅値のデータを受け、図２のＴ１１１に示す波形のように水平周期毎にデータの大きさに比例した電流振幅を有する駆動電流を発生する。
【００４８】
Ｐ１１０４はトランジスタなどで構成されるスイッチ手段であり、Ｄ／Ａ部Ｐ１１０３からの電流出力をＰＷＭジェネレータ部Ｐ１１０２からの出力を有効とする期間の間列配線に印加し、ＰＷＭジェネレータ部Ｐ１１０２からの出力が無効な期間は列配線を接地する。図２のＴ１１１にある列の出力電圧波形（列配線駆動波形）の一例を示す。
【００４９】
列配線毎に備えられるダイオード手段Ｐ１１０５は、コモン側がＶｍａｘレギュレータＰ１１０６に接続される。ＶｍａｘレギュレータＰ１１０６は電流吸い込みが可能な定電圧源であり、ダイオード手段Ｐ１１０５と合わせて、表示パネルＰ２０００の７２０×２４０個の各表面伝導型素子に過電圧が印加されるのを防止する保護回路を形成している。
【００５０】
この保護電圧（Ｖｍａｘと行配線の走査選択時に印加される−Ｖｓｓで規定される電位）は、ＭＰＵＰ１１を中心に構成されるシステムコントロール部の制御入出力のひとつであるＤ／Ａ部Ｐ１４により与えられる。
【００５１】
ダイオード手段Ｐ１１０５はまた、各表面伝導型素子への過電圧防止の他、輝度制御の目的でＶｍａｘ電位（もしくは−Ｖｓｓ電位）を変化させることも可能である。
【００５２】
Ｙシフトレジスタ部Ｐ１００２は、Ｘ，Ｙドライバでタイミング発生部Ｐ１００１からの水平周期のシフトクロック及び行走査開始トリガを与えるための垂直周期のトリガ信号を受けとり、行配線を走査するための選択信号を各行配線毎に備えられるプリドライバ部Ｐ１００３に順に出力する。
【００５３】
各行配線を駆動する出力部は例えばトランジスタＰ１００６、ＦＥＴＰ１００４、ダイオードＰ１００７から構成される。プリドライバ部Ｐ１００３はこの出力部を応答良く駆動するためのものである。
【００５４】
ＦＥＴＰ１００４は、行選択時に導通するスイッチ手段であり、選択時に定電圧レギュレータ部Ｐ１００５からの−Ｖｓｓ電位を行配線に印加する。トランジスタＰ１００６は行非選択時に導通するスイッチ手段であり、非選択時に定電圧レギュレータ部Ｐ１００８からのＶｕｓｏ電位を行配線に印加する。図２のＴ１１２に行配線駆動波形の一例を示す。ダイオードＰ１００７は、行配線に異常電位発生防止と各行配線を駆動する出力部の保護のために備えられている。
【００５５】
−ＶｓｓとＶｕｓｏ電位を発生する定電圧レギュレータ部Ｐ１００５、１００８は、ＭＰＵＰ１１を中心に構成されるシステムコントロール部の制御入出力のひとつであるＤ／Ａ部Ｐ１４により制御される。
【００５６】
また高圧電源部Ｐ３０も同様にＭＰＵＰ１１を中心に構成されるシステムコントロール部の制御入出力のひとつであるＤ／Ａ部Ｐ１４により制御される。
【００５７】
（省電力機能の説明）
以上説明した図１Ａ乃至図１Ｃに示す構成を備える本実施の形態例においては、通常の表示制御においては、以下に示す特別の省電力モードを実行しないが、例えば一定時間指示操作がなかった場合や、部屋の中に赤外線探知機能を備えて表示装置周囲の人の動きを検出可能として一定時間人の動きを検出できなかった場合、表示データが例えばテレビジョン放送やビデオ再生画像であった場合にホワイトノイズが一定時間表示された場合や、表示信号に変化がない様な場合に、以下に示す省電力モードの移行させる制御を行なうことが可能に構成されている。
【００５８】
これにより、従来は不要と思われる様な場合に表示装置で消費していた電力を低く抑えることができる。なお、この省電力モードへの移行制御は、上述した自動で行なう例に限らず、テレビリモコンや操作パネルを操作して操作者よりの操作により省電力モードに移行しても良い。
【００５９】
このように操作による省電力モードへの移行あるいは自動での省電力モードへの移行時における本実施の形態例の省電力制御の例を以下説明する。図３は本実施の形態例の図１Ａ乃至図１Ｃに示す表示装置における省電力モードへの移行制御の例を示す図であり、２つの省電力モードを設定した例を示している。
【００６０】
但し、本実施の形態例は図３に示す制御に限るものではなく、任意の省電力モード制御のみを選択して実施するように制御しても、可能な限りの省電力モード制御を行なうように制御しても良い。
【００６１】
また、操作入力により省電力モードに移行する場合の図１Ａに示すユーザスイッチＰ１８の操作スイッチの構成例を図４に示す。例えばリモコンや画像表示装置の前面パネルに設置されている。
【００６２】
図４の例は省電力モード１と省電力モード２を指定可能とし、Ｃ１は省電力モード１のスイッチ（ＳＷ１）のＯＮを指定する押しボタンスイッチ、Ｃ２は省電力モード１のスイッチ（ＳＷ１）のＯＦＦを指定する押しボタンスイッチ、Ｃ３は省電力モード２のスイッチ（ＳＷ２）のＯＮを指定する押しボタンスイッチ、Ｃ４は省電力モード２のスイッチ（ＳＷ２）のＯＦＦを指定する押しボタンスイッチである。
【００６３】
図３に示す省電力モードの遷移図を参照して本実施の形態例の省電力モードの遷移例を説明する。
【００６４】
図３において、Ｂ１は省電力ではない通常のモードである通常状態、Ｂ２は省電力モード１状態、Ｂ３は省電力モード１’状態、Ｂ４は省電力モード２状態を示す。
【００６５】
省電力モード１及び省電力モード１’は、画像の劣化の少ない省電力モードであり、例えば、詳細を後述する以下の省電力制御を実行するモードである。
ｉ）Ｉｆデータの変更による駆動電流量制御による省電力モード
ｉｉ）ＰＷＭクロックを変更することによる省電力モード
ｉｉｉ）ＡＢＬ設定の変更による省電力モード
ｉｖ）表示パネルの位置による重みをつけたＡＢＬ動作による省電力モード
ｖ）駆動電圧制御による省電力による省電力モード（後述する第二の実施の形態例の場合を含む）
【００６６】
一方、省電力モード２は、画像の劣化がある省電力モードであり、例えば省電力制御を実行するモードである。
ｉ）輝度制御データの乗算による省電力モード
ｉｉ）画像データを演算することによる、例えば、画像ビットシフトによる省電力モード
ｉｉｉ）画面サイズの縮小による省電力モード（後述する第二の実施の形態例）
【００６７】
次に、省電力モードの遷移図である図３を参照して本実施の形態例の省電力モードの遷移状態を説明する。
【００６８】
（１）通常モード（Ｂ１）と省電力モード１（Ｂ２）間の遷移
ｉ）通常モード（Ｂ１）から省電力モード１（Ｂ２）への遷移は、省電力モード１のスイッチ（ＳＷ１）のＯＮボタンＣ１が押された時（ＢＳ０１）等である。
ｉｉ）省電力モード１（Ｂ２）から通常モード（Ｂ１）への遷移は、省電力モード１のスイッチ（ＳＷ１）のＯＦＦボタンＣ２が押された時（ＢＳ０２）等である。
【００６９】
（２）通常モード（Ｂ１）と省電力モード２（Ｂ４）間の遷移
ｉ）通常モード（Ｂ１）から省電力モード２（Ｂ４）への遷移は、省電力モード２のスイッチ（ＳＷ２）のＯＮボタンＣ３が押された時（ＢＳ０３）、及び、入力信号が無くなった場合、上述した様に入力信号が一定時間以上ホワイトノイズであった場合（ＢＳ０５）等である。
ｉｉ）省電力モード２（Ｂ４）から通常モード（Ｂ１）への遷移は、省電力モード２のスイッチ（ＳＷ２）のＯＦＦボタンＣ４が押された時（ＢＳ０４）及び入力信号が無い状態から新たに入った場合（ＢＳ０６）等である。
【００７０】
（３）省電力モード１（Ｂ２）と省電力モード２（Ｂ４）間の遷移
ｉ）通常モード（Ｂ２）から省電力モード２（Ｂ４）への遷移は、省電力モード２のスイッチ（ＳＷ２）のＯＮボタンＣ３が押された時（ＢＳ０７）等である。
【００７１】
（４）省電力モード１'（Ｂ３）と省電力モード１（Ｂ２）間の還移
ｉ）省電力モード１'（Ｂ３）から省電力モード１（Ｂ２）への遷移は、省電力モード１のスイッチ（ＳＷ１）のＯＮボタンＣ１が押された時（ＢＳ０８）等である。
【００７２】
（５）省電力モード１'（Ｂ３）と省電力モード２（Ｂ４）間の遷移
ｉ）省電力モード１'（Ｂ３）から省電力モード２（Ｂ４）への遷移は、省電力モード２のスイッチ（ＳＷ２）のＯＮボタンＣ３が押された時（ＢＳ０９）等である。
【００７３】
（６）通常モード（Ｂ１）と省電力モード１'（Ｂ３）間の遷移
ｉ）通常モード（Ｂ１）から省電力モード１'（Ｂ３）への遷移は以下の各場合等である。
・表示時間が一定期間を超えた場合（ＢＳ１０）
・外部照度が一定値以下の場合（ＢＳ１１）
・入力信号が特別の場合（例えば映画の信号の場合：ＭＰＥＧ、２４Ｐの場合）（ＢＳ１２）
ｉｉ）省電力モード１'（Ｂ３）から通常モード（Ｂ１）への遷移は以下の各場合等である。
・表示時間が一定期間を超えた場合で、省電力モード１のスイッチ（ＳＷ１）のＯＦＦボタンＣ２が押された時（ＢＳ１３）
・外部照度が一定値以下の場合に省電力モード１'になっている時、外部照度が一定値を超えた場合（ＢＳ１４）
・入力信号が通常の場合（例えば映画の信号でない場合）（ＢＳ１５）
以上に説明した各省電力モード制御の具体例を以下詳細に説明する。
【００７４】
（１）高圧電源部Ｐ３０の出力電圧制御による省電力化
本実施の形態例においては、高圧電源部Ｐ３０の出力電圧は、ＭＰＵＰ１１を中心に構成されるシステムコントロール部の制御入出力のひとつであるＤ／Ａ部Ｐ１４により制御することができる。従って、このＤ／Ａ部Ｐ１４を制御することにより、表示パネルＰ２０００の明るさ制御あるいは消費電力抑制を実現することが出来る。
【００７５】
（２）Ｉｆ設定データによる素子駆動電流量制御による省電力化
ＭＰＵＰ１１を中心に構成されるシステムコントロール部の制御入出力のひとつであるＩ／Ｏ制御部Ｐ１３から出力されるＩｆ設定データをシフトレジスタＰ１１０７に出力するようにデータセレクタ手段Ｐ１２０１がＩ／Ｏ制御部Ｐ１３からの切り替え信号により設定した状態においては、Ｉｆ設定データにより素子駆動電流量を制御することが出来る。すなわちＩｆ設定データを可変にすることにより表示パネルＰ２０００の明るさを制御する、あるいはこの表示パネルＰ２０００を組み込んだ表示装置の消費電力を制御することが出来る。
【００７６】
（３）ＰＷＭクロックを可変にすることによる表示パネルの明るさ制御による省電力化
更に、本実施の形態例によれば、ＭＰＵＰ１１を中心に構成されるシステムコントロール部の制御入出力のひとつであるＩ／Ｏ制御部Ｐ１３の出力により、Ｘ，Ｙドライバタイミング発生部Ｐ１００１が発生するＰＷＭＧＥＮ部Ｐ１１０２が使用するＰＷＭクロック（不図示）の周波数を可変とすることが出来る。例えばこの切替え制御により通常モードより倍の周波数のＰＷＭクロックがパルス幅変調に使用された場合、ＰＷＭＧＥＮ部Ｐ１１０２は、輝度データの大きさと同数のパルス数を計数した時間幅を有する出力パルスを発生するため、出力パルス幅は１／２になる。すなわち素子を駆動する時間が半減するため輝度も半減する。このようにＰＷＭクロックを可変にすることにより、表示パネルの明るさを制御する、あるいはこの表示パネルを組み込んだ表示装置の消費電力を制御することが出来る。
【００７７】
（４）Ｉ／Ｏ制御部Ｐ１３の出力輝度制御データによる表示パネルの明るさ制御による省電力化
また、図１Ｂに示す逆γテーブル部Ｐ７は、テーブルによる階調特性変換を行う前段に乗算器を備えることも出来る。この様なテーブルによる階調特性変換を行う前段に乗算器を備える構成とすることにより、Ａ／Ｄ変換部Ｐ６からの輝度データとＭＰＵＰ１１を中心に構成されるシステムコントロール部の制御入出力のひとつであるＩ／Ｏ制御部Ｐ１３の輝度制御データ出力を乗算することができ、これにより、Ｉ／Ｏ制御部Ｐ１３の出力輝度制御データにより輝度データの大きさを可変とすることが出来る。すなわちＩ／Ｏ制御部Ｐ１３の出力輝度制御データにより表示パネルの明るさを制御する、あるいはこの表示パネルを組み込んだ表示装置の消費電力を制御することが出来る。輝度データの乗算はデジタル部でなくアナログ処理部Ｐ３でも行うことが出来る。システムコントロール部からの出力であるＤ／ＡコンバータＰ１４からのＲ，Ｇ，Ｂゲイン調整信号によりＡ／Ｄ変換部Ｐ６に入力されるアナログ信号レベルを可変とすることで、デジタル部の乗算と同様に輝度データの大きさを制御できる。
【００７８】
（５）Ｉ／Ｏ制御部Ｐ１３の出力表示切り替え信号による表示パネルの明るさ制御による省電力化
また、図１Ｂに示すセレクタ部Ｐ９は、デジタル入力信号のビット数を減らして出力する機能を備えることも出来る。本実施の形態例では、ＭＰＵＰ１１を中心に構成されるシステムコントロール部の制御入出力のひとつであるＩ／Ｏ制御部Ｐ１３の表示切り替え信号出力をこのビット数を減らすための制御信号としても利用可能なように割り付けられており、例えば入力８ビットの信号に対して、１ビットないし２ビット程度をビットシフトすることにより、７〜６ビット信号に変換してＬＳＢ側の信号をなくすように出力する。この操作により、輝度信号を概略１／２〜１／４に小さくすることが出来る。すなわちＩ／Ｏ制御部Ｐ１３の出力表示切り替え信号により表示パネルの明るさを制御する、あるいはこの表示パネルを組み込んだ表示装置の消費電力を制御することが出来る。
【００７９】
（６）ＡＢＬの動作感度を可変とすることによる表示装置の低消費電力化
また上述した説明では、ビデオ検出部Ｐ４で１フレームの平均輝度レベルを検出することによりＡＢＬ制御が行える例を説明したが、このＡＢＬの動作感度を可変とすることにより、表示装置の消費電力を制御することが出来る。本実施の形態例の表示装置においては、画面を構成する全素子の平均発光輝度レベルがピーク輝度レベルに１以下の係数を掛けた値になるように、入力信号の平均輝度レベルからパネル部の発光レベルを予測し、素子駆動量や高圧印加電圧もしくは輝度信号の大きさなどを可変とすることで、全素子の平均発光輝度レベルを抑制するものである。例えば係数が０．５である場合、１フレームの平均輝度レベルからパネル部の発光レベルがピークの１／２以下と予測されたときはなにもせずそのまま表示し、ピークの１／２以上と予測される場合はピークの１／２になるように素子駆動量や高圧印加電圧もしくは輝度信号の大きさなどを可変とすることで、全素子の平均発光輝度レベルを抑制する。すなわちこのＡＢＬ制御の基準となるこの係数（ＡＢＬ基準電圧）を可変にして、表示装置の消費電力を制御することが出来る。
【００８０】
（７）画面中央部と画面周辺部で暗くなる程度に差をもたせることによる表示装置の低消費電力化
さらにこのＡＢＬ動作に表示パネルの位置の重み付けを持たすことも出来る。これは、通常重要な情報は画面中央部に多く出現する可能性が高いため、ＡＢＬで表示輝度を抑制する場合、画面全体を一様に暗くするのでなく、画面中央部と画面周辺部で暗くなる程度に差をもたせ中央部をなるべく明るく表示しようというものである。例えば、画面中央分周辺で５０％の明るさに、そのやや外側部分を４０％の明るさに、その外側の画面周辺部近傍を３０％の明るさに、画面の四隅の部分を２０％の明るさとなるように制御すれば良い。このような画面中央部と画面周辺部で暗くなる程度に差をもたせる制御は、ＩｆテーブルＲＯＭＰ１２０２を利用して行なうことができる。ＩｆテーブルＲＯＭＰ１２０２は素子毎のＩｆデータを持つことができるので、ＩｆテーブルＲＯＭＰ１２０２に中央部の素子と周辺部の素子でＩｆ設定値を変えた設定を数種類用意し、ビデオ検出部Ｐ４による１フレームの平均輝度レベルにより設定を切り替えることで省電力モードが実現できる。
【００８１】
以上説明したように、本実施の形態例によれば、画像の劣化の少ない省電力モード（省電力モード１・省電力モード１’）と画像の劣化がある省電力モード（省電力モード２）を持つことによって、自動的にモードが切り替えられる場合はユーザに画質の劣化の少ない省電力モードを、ユーザが設定する場合はどちらのモードでも設定できる。
【００８２】
［第二の実施の形態例］
上述した第一の実施の形態例においては、表示パネル（ＳＥＤパネル）を用いた表示装置を電流駆動ＰＷＭする場合の省電力制御例を説明した。しかし本発明は以上の例に限定されるものではなく、表示パネル（ＳＥＤパネル）を用いた表示装置を電圧駆動（スイッチング（ＳＷ）駆動）ＰＷＭする場合においても、同様に省電力モードを備える表示装置とすることができる。このように、省電力動作モードを有する電圧駆動（ＳＷ駆動）ＰＷＭの表示パネル（ＳＥＤパネル）を用いた本発明に係る第２の実施の形態例に係る表示装置の例を以下に説明する。
【００８３】
図５Ａ乃至図５Ｃは本発明に係る第二の実施の形態例のＳＥＤパネルの駆動回路のブロック図である。また、図６に図５Ａ乃至図５Ｃに示す第二の実施の形態例の動作タイミングチャートを示す。第二の実施の形態例において、上述した図１Ａ乃至図１Ｃ及び図２乃至図４に示す第一の実施の形態例と同一構成については同一番号を付し詳細説明は省略する。
【００８４】
図５Ａ乃至図５Ｃにおいて、Ａ１ａ、Ａ１ｂは切り換えスイッチであり、Ｉ／Ｏ制御部Ｐ１３の入力切り換え信号によりビデオ入力１とビデオ入力２を切り替える。Ａ２はＮＴＳＣ−ＲＧＢデコーダ部であり、図１Ａに示すＮＴＳＣ−ＲＧＢデコーダ部Ｐ１と同一構成である。
【００８５】
Ａ３は解像度変換部であり、例えばＮＴＳＣ−ＲＧＢデコーダ部Ａ２の出力であるＲＧＢデコードされたビデオ信号を、縦横１／４倍に縮小して出力する（解像度変換部Ａ３の構成は例えばＡ／Ｄコンバータによりディジタル化し横方向に４データ毎に１データをサンプリングしてメモリに書き込み、更に縦方向についても４ライン毎に１ラインのデータをサンプリングしてメモリに書き込み、結果として縦横１／４倍のサイズに画像を圧縮しメモリに書き込む。更にメモリの読み出しを後述するスーパインポーズ部のビデオレートで読み出し、Ｄ／Ａコンバータによりアナログ化し出力する。）。
【００８６】
Ａ４はスーパインポーズ部でありスイッチ手段によって入力Ａの画像に入力Ｂの画像を合成する。
【００８７】
Ｐ１１５０は電界効果トランジスタなどで構成されるスイッチ手段でありＰＷＭジェネレータ部Ｐ１１０２の出力により指定されたパルス幅の時間をスイッチ手段Ｐ１１５０は接点ｂからａ切り替え、列配線Ｐ２００３を画像データに応じたパルス幅で駆動する。
【００８８】
Ｐ９９ａは比較器であり、Ｄ／Ａ部Ｐ１４の出力であるＡＢＬ基準電圧と、各表面伝導型素子Ｐ２００１からの放出電子ビーム電流（Ｉｅ）に比例する電圧とを比較し、比較結果を出力する。ここで、比較器Ｐ９９ａのゲインは、通常ハンチング防止のため低めに設定される。
【００８９】
Ｐ９９ｂはフィルタ回路であり、ローパスフィルタ構成となっており、比較器Ｐ９９ａの出力のうちの一定周波数以下の信号成分のみを通過させ、そしてＡＢＬによるハンチングを防止する。また、比較器Ｐ９９ａとフィルタ回路Ｐ９９ｂの順番は図示の例に限定されるものではなく、逆の順番であっても構わない。
【００９０】
Ｐ９９ｃは加算器であり、フィルタ回路Ｐ９９ｂの出力とＤ／Ａ部Ｐ１４の出力である＋Ｖｆ設定値を加算する（この場合Ｐ９９ａの比較器の出力はＩｅが増加する方向でＶｆが減少する方向で加算される）。Ｐ９９ｄは＋Ｖｆレギュレータ部であり、加算器の出力にしたがって列配線駆動電圧を出力する。
【００９１】
（省電力機能の説明）
以上の構成を備える第二の実施の形態例の省電力機能を以下に説明する。
【００９２】
（１）駆動電圧制御による省電力制御による省電力化
以上説明した図５Ａ乃至図５Ｃに示す第二の実施の形態例の構成において、変調配線Ｐ２００３の駆動電圧は、ＭＰＵＰ１１を中心に構成されるシステムコントロール部の制御入出力のひとつであるＤ／Ａ部Ｐ１４により省電力モード時以下のように制御する。
【００９３】
ｉ）行配線（走査配線）の駆動電圧制御
システムコントロール部の制御出力のひとつであるＤ／Ａ部Ｐ１４の−Ｖｓｓ電圧制御の電圧値を低くし（落とし）、行配線（走査配線）Ｐ２００２の駆動電圧を下げることにより各表面伝導型素子Ｐ２００１の駆動電圧を下げ、結果として各表面伝導型素子Ｐ２００１の駆動電力及び放出電子ビーム電流（Ｉｅ）を下げて消費電力の抑制を実現する。
【００９４】
ｉｉ）列配線（変調配線）の駆動電圧制御
システムコントロール部の制御出力のひとつであるＤ／Ａ部Ｐ１４の＋Ｖｆ電圧設定値の電圧を低くし（落とし）、列配線（変調配線）Ｐ２００３の駆動電圧を下げることにより各表面伝導型素子Ｐ２００１の駆動電圧を下げ、結果として各表面伝導型素子Ｐ２００１の駆動電力及び放出電子ビーム電流（Ｉｅ）を下げて消費電力の抑制を実現する。
【００９５】
（２）画面サイズの縮小による省電力制御による省電力化
以上説明したように図５Ａ乃至図５Ｃに示す第二の実施の形態例の構成において、駆動される各表面伝導型素子Ｐ２００１の総数を制御することにより省電力化を実施することができる。なお、この制御は上述した第一の実施の形態例における省電力化であっても良い。
【００９６】
ｉ）通常モード時の制御
システムコントロール部の制御出力のひとつであるＩ／Ｏ制御部Ｐ１３の出力により以下の動作が行われる。
【００９７】
入力切替スイッチＡ１ａは接点ａを選択しビデオ入力１がＮＴＳＣ−ＲＧＢデコーダ部Ｐ１でＲＧＢ信号にデコードされスーパーインポーズ部Ａ４を通りメイン画面として出力される。その後の処理は上述した第一の実施の形態例と同様である。
【００９８】
一方、例えば子画面表示の時、入力切り換えスイッチＡ１ｂは接点ａ側の信号を入力するように制御され、ビデオ入力２の信号がＮＴＳＣ−ＲＧＢデコーダ部Ａ２に入力され、ここでＲＧＢ信号にデコードされ解像度変換部Ａ３で例えば横方向縦方向それぞれ１／４に縮小される。その後スーパーインポーズ部Ａ４を通りサブ画面としてメイン画面インポーズされ出力される。当然子画面を表示しない場合はスーパーインポーズ部Ａ４はＮＴＳＣ−ＲＧＢデコーダ部Ｐ１の出力をそのまま出力する。
【００９９】
ｉｉ）省電力モード時の制御
以上の通常モード時の制御に対して、省電力モード時においてはシステムコントロール部の制御出力のひとつであるＩ／Ｏ制御部Ｐ１３の出力により以下の動作が行われる。
【０１００】
入力切替スイッチＡ１ａは接点ｂ側の信号を選択してＮＴＳＣ−ＲＧＢデコーダ部Ｐ１に送る。第二の実施の形態例では、省電力モードにおいてはＮＴＳＣ−ＲＧＢデコーダ部Ｐ１は出力が黒となる様に制御される。この結果、スーパーインポーズ部Ａ４を通って出力されるメイン画面の表示は黒（パネルの駆動はしない）として出力される。その後の処理は第一の実施の形態例と同様である。
【０１０１】
一方、入力切り換えスイッチＡ１ｂは接点ｂを選び、ビデオ入力１の信号は、ＮＴＳＣ−ＲＧＢデコーダ部Ａ２でＲＧＢ信号にデコードされ解像度変換部Ａ３で例えば横方向縦方向それぞれ１／４に縮小されスーパーインポーズ部Ａ４を通りサブ画面としてメイン画面インポーズされ出力される。
【０１０２】
すなわち、第二の実施の形態例ではメイン画面が縦横に１／４倍に縮小され、他の部分は駆動をしない様に映像信号が作られる。その結果、駆動面積比で１／１６倍の（すなわち駆動される素子数が１／１６倍）になる。
【０１０３】
それにより、各表面伝導型素子Ｐ２００１の駆動電力及び放出電子ビーム電流（Ｉｅ）を約（１／１６）に下げることができ、消費電力抑制を実現することが出来る。
【０１０４】
（３）ＡＢＬの動作制御による省電力化
次に第二の実施の形態例のＡＢＬの動作を説明する。以下の説明は、高圧電源部Ｐ３０の出力電流がモニタできるようになっている場合を例として説明を行なう。しかし、本発明は以上の例に限定されるものではなく、この機能を備える必要が無いことは勿論である。
【０１０５】
ｉ）通常動作モードにおけるＡＢＬの動作説明
１）表示パネルが駆動されると放出電子ビーム電流（Ｉｅ）が流れる。
２）Ｉｅに相当する電圧が高圧電源部Ｐ３０から出力される。
３）比較器Ｐ９９ａは、システムコントロール部の制御出力のひとつであるＤ／Ａ部Ｐ１４のＡＢＬ制御の基準となる係数（以下、「ＡＢＬ基準電圧」と称す。）とＩｅに相当する電圧を比較し、Ｉｅに相当する電圧が大きければ負の出力を出す。
４）フィルタ回路Ｐ９９ｂは比較器Ｐ９９ａの出力の低周波成分のみを通過させるべくローパスフィルタリングしてＡＢＬによるハンチングを防止する。
５）加算器Ｐ９９ｃはフィルタ回路Ｐ９９ｂの出力とシステムコントロール部の制御出力のひとつであるＤ／Ａ部Ｐ１４の＋Ｖｆ電圧設定値を加算する。（すなわちＩｅが増加すると＋Ｖｆ電圧設定値がＩｅ増加分減算される）  ６）加算器Ｐ９９ｃの出力に従って＋Ｖｆレギュレータ部Ｐ９９ｄは変調配線の駆動電圧を発生する。
以上の手順によって、ＡＢＬ制御の基準となる係数（ＡＢＬ基準電圧）に相当
する放出電子ビーム電流（Ｉｅ）に制限することができる。
【０１０６】
ｉｉ）省電力動作モードにおけるＡＢＬの動作説明
省電力モード時のＡＢＬ基準電圧の設定
１）駆動電圧制御による省電力化
駆動電圧制御により各表面伝導型素子Ｐ２００１の駆動電流を、例えば１／５倍に設定した場合には、ＡＢＬ基準電圧に比べ省電力モード時の設定電圧を１／５倍にする。このようにすれば平均電力も十分下げることができる。
【０１０７】
また、駆動電圧制御により各表面伝導型素子Ｐ２００１の駆動電流を、例えば１／２倍とし、通常状態のＡＢＬ基準電圧に比べ省電力モード時の設定電圧を１／５倍にする。このようにすればピーク輝度は１／２倍、平均電力が１／５倍にでき、十分な画質で省電力（平均電力の低下）が達成できる。
【０１０８】
２）画面サイズの縮小による省電力化
第二の実施の形態例の場合、表示画面サイズを横方向縦方向それぞれ１／４に縮小して表示させる。これにより表示面積は１／１６倍になる。この結果、通常状態のＡＢＬ基準電圧に比べ省電力モード時の設定電圧を１／１６倍にすることができる。
【０１０９】
このようにすれば通常表示のＡＢＬのききかたでピーク輝度は変化なく、平均電力が１／１６倍にでき、十分な輝度で省電力（平均電力の低下）が達成できる。
【０１１０】
更に、通常状態のＡＢＬ基準電圧に比べ省電力モード時の設定電圧を１／３２倍にすれば、さらに平均電力を下げることができる。
【０１１１】
以上説明したように第二の実施の形態例によれば、上述した第一の実施の形態例と同様に優れた省電力制御ができる。なお、他の第一の実施の形態例と同様構成部分の省電力制御は上述した第一の実施の省電力制御と同様であり、画像の劣化の少ない省電力モード（省電力モード１・省電力モード１’）と画像の劣化がある省電力モード（省電力モード２）を有することも同様である。
【０１１２】
第二の実施の形態例においても第一の実施の形態例と同様に、画像の劣化の少ない省電力モード（省電力モード１・省電力モード１’）と画像の劣化がある省電力モード（省電力モード２）を選択制御可能であり、自動的にモード切り替えがされる場合はユーザに画質の劣化の少ない省電力モードを、ユーザが設定する場合はどちらのモードでも設定できる様に制御すれば良い。
【０１１３】
以上に説明した第一及び第二の実施の形態例の省電力モード制御の制御先の一部を一覧としてまとめ、図７に示す。図７に示す様に各パラメータを制御することにより、フラットパネル表示装置においても省電力制御を行なうことが可能となる。そして、画像の劣化の少ない省電力モード１と画像の劣化がある省電力モード２とを選択制御可能であり、自動的に省電力モードになる場合には画質の劣化の少ない省電力モード１を、操作により省電力モードになる場合はどちらのモードでも設定できる様に制御することにより、操作者の操作無しに通常表示モードに比してまったく違う画面を表示することがない省電力モードを実現でき、コンピュータ端末としての表示制御に限らず、テレビジョン放送の表示装置等にもそのまま適用することができる。
【０１１４】
即ち、表示画面を見てテレビジョン放送の受信中であるか否かを直ちに認識することができ、必要に応じて直ちに通常動作モードに復帰させることができる。
【０１１５】
なお、以上の制御によれば、従来のコンピュータ端末としての表示装置での省電力制御のように、表示画面を表示しないモードにしたり、操作者の操作無しに通常表示モードに比してまったく違う画面を表示したりすることがないように制御することができ、コンピュータ端末としての表示制御に限らず、テレビジョン放送の表示装置にもそのまま適用することができる。
【０１１６】
そしてこの場合においても、大きな不具合なく放送状態と省電力モード制御であることを認識することができ、必要に応じて直ちに通常動作モードに復帰させることができる。
【０１１７】
【発明の効果】
以上説明したように本発明によれば、省電力動作モードを備えるフラットパネル表示装置を提供することができる。
【０１１８】
また、本発明によれば、画像の劣化の少ない省電力モードと画像の劣化がある省電力モードを選択制御可能であり、自動的に省電力モードになる場合には画質の劣化の少ない省電力モードを、操作により省電力モードになる場合はどちらのモードでも設定できる様に制御することができ、操作者の操作無しに通常表示モードに比してまったく違う画面を表示することがない省電力モードを実現でき、コンピュータ端末としての表示制御に限らず、テレビジョン放送の表示装置等にもそのまま適用することができる。
【０１１９】
そしてこの場合においても、大きな不具合なく放送状態と省電力モード制御であることを認識することができ、必要に応じて直ちに通常動作モードに復帰させることができる。


【手続補正３】
【補正対象書類名】図面
【補正対象項目名】図２
【補正方法】変更
【補正の内容】
【図２】
2000276091.tif 000001
【手続補正４】
【補正対象書類名】図面
【補正対象項目名】図５Ａ
【補正方法】変更
【補正の内容】
【図５Ａ】
2000276091.tif 000002